(57)【特許請求の範囲】
【請求項１】
正面視で、車主体を含み、前記車主体の右側面には第一消火チャンバが設置され、前記第一消火チャンバの中には第一消火機構が設置され、前記第一消火機構は複数の消火設備制御盤を含み、前記消火設備制御盤は前記車主体の右側の路面の火元を消すことができ、前記車主体の左側面には第二消火チャンバが設置され、前記第二消火チャンバの中には第二消火機構が設置され、前記第二消火機構は前記車主体の底部の路面の火元を更に消すことができ、前記車主体の中には水汲み上げチャンバが設置され、前記水汲み上げチャンバの中には水源を貯蔵し、また前記第二消火機構に水源を提供し、前記第一消火チャンバの左側の前記車主体の中には中部チャンバが設置され、前記中部チャンバの中には昇降できる散水機構が設置され、前記水汲み上げチャンバは前記散水機構に水源を提供でき、前記散水機構は遠くに水を噴出させ、遠くの火元を消し、前記散水機構と、前記第一消火機構と、前記第二消火機構とがいずれも同一の動力源に駆動され、
前記散水機構の左側には昇降できる監視機構が設置され、前記監視機構はモニタを含み、前記モニタは森林の環境を監視でき、前記車主体の底面には底溝が形成されており、前記底溝の中には固定機構が設置され、前記固定機構は前記車主体を目的地に固定でき、前記車主体が運動することを防止し、前記固定機構と前記監視機構とは同一の動力源によって駆動されることを特徴とする移動式の森林火災を消し止められる及び環境を自動的に監視できる装置。
【請求項２】
前記第一消火機構は前記第一消火チャンバの中にスライドできるように設置された大スライド板を含み、前記大スライド板の中には伝動チャンバが設置され、前記伝動チャンバの中には上下に延びるように設置された縦軸が回転できるように設置され、前記縦軸が五つ設置され、五つの前記縦軸の間がチェーンによって動力が伝達できるように連結され、前記縦軸の底端と前記消火設備制御盤とが固定され、前記伝動チャンバの中に位置している前記縦軸の外周には第一プーリが固定的に設置され、前記大スライド板の中にはスプラインスリーブが回転できるように設置され、前記スプラインスリーブの外周には第二プーリが固定的に設置され、前記第二プーリと前記第一プーリとの間が第一ベルトによって連結され、前記第一消火チャンバの底壁の中には第一モーターが固定的に嵌められ、前記第一モーターの頂部には上方に伸びているスプライン軸が動力が伝達できるように連結され、前記スプライン軸が前記スプラインスリーブを貫通しており、また前記スプラインスリーブと前記スプライン軸とがスプラインによって嵌合されていることを特徴とする請求項１に記載の移動式の森林火災を消し止められる及び環境を自動的に監視できる装置。
【請求項３】
前記中部チャンバの右壁には長空きチャンバが設置され、前記長空きチャンバが前記第一消火チャンバの上側に位置しており、前記スプライン軸の頂部の伸びている部分が前記長空きチャンバの中に伸びており、且つ前記スプライン軸の頂部の伸びている部分の末端には第三プーリが固定的に設置され、前記中部チャンバの中には小回転軸が回転できるように設置され、前記小回転軸の外周には第四プーリが固定的に設置され、前記第四プーリと前記第三プーリとの間が第二ベルトによって連結され、前記小回転軸の外周にはまた扇状ギヤが固定的に設置されていることを特徴とする請求項２に記載の移動式の森林火災を消し止められる及び環境を自動的に監視できる装置。
【請求項４】
前記散水機構は前記中部チャンバの頂壁の中にスライドできるように設置された矩形ブロックを含み、前記矩形ブロックの中には上下に伸びた従動軸が回転できるように回転できるように設置され、前記従動軸の底端が前記中部チャンバの中に伸びており、また前記従動軸の底端の末端には従動ギヤが固定的に設置され、前記従動ギヤが前記扇状ギヤと噛み合うことができ、前記矩形ブロックの底部には小スライド板がスライドできるように設置され、前記従動軸が前記小スライド板を貫通し、且つ前記小スライド板と回転できるように連結され、前記小スライド板と前記従動軸との間にはトーションばねが装着され、前記従動軸の頂端には回転柱が固定的に設置され、前記回転柱の中にはノズルが固定的に設置され、前記ノズルと前記水汲み上げチャンバとが連通していることを特徴とする請求項１に記載の移動式の森林火災を消し止められる及び環境を自動的に監視できる装置。
【請求項５】
前記監視機構は前記車主体の頂面にスライドできるように設置された長矩形ブロックを含み、前記長矩形ブロックの頂面には保護カバーが固定的に設置され、前記モニタが前記長矩形ブロックの左右両側面に固定的に設置され、前記保護カバーが前記モニタを打ち壊さないように保護し、前記底溝の頂部にはベルトチャンバが設置され、前記ベルトチャンバの中には上下に伸びている第一スクリュー軸が回転できるように設置され、前記第一スクリュー軸の上半部はネジ山のデザインであり、前記第一スクリュー軸と前記長矩形ブロックとがネジ山によって連結され、前記第一スクリュー軸の回転によって、前記長矩形ブロックは上昇又は下降でき、さらに前記モニタが上昇と下降するようになり、下降する時、前記モニタは車が前方へ進む過程に枝にぶつかることはしないように保護することを特徴とする請求項１に記載の移動式の森林火災を消し止められる及び環境を自動的に監視できる装置。
【請求項６】
前記固定機構は前記底溝の中にスライドできるように設置された大スライダを含み、前記大スライダの底面には固定爪が固定的に設置され、前記底溝と前記ベルトチャンバとの間には上下に伸びている第二スクリュー軸が回転できるように設置され、前記第二スクリュー軸と前記大スライダとがネジ山によって連結され、前記ベルトチャンバの頂壁の中には第二モーターが固定的に嵌められ、前記第二モーターと前記第二スクリュー軸の頂部とが動力が伝達できるように連結され、前記ベルトチャンバの中に位置している前記第二スクリュー軸の外周には第五プーリが固定的に設置され、前記ベルトチャンバの中に位置している前記第一スクリュー軸の外周には第六プーリが固定的に設置され、前記第六プーリと前記第五プーリとの間が第三ベルトによって連結されていることを特徴とする請求項５に記載の移動式の森林火災を消し止められる及び環境を自動的に監視できる装置。
【請求項７】
前記第二消火機構は前記第二消火チャンバの前後内壁の間にヒンジで設置された揺れ動き板を含み、前記揺れ動き板の左側部分の中には消火ローラーが回転できるように設置され、前記揺れ動き板の頂部には固定板が固定的に設置され、前記固定板の底面には一列の散水パイプが固定的に設置され、前記散水パイプと前記水汲み上げチャンバとが連通しており、前記散水パイプが前記消火ローラーに散水できることを特徴とする請求項１に記載の移動式の森林火災を消し止められる及び環境を自動的に監視できる装置。
【請求項８】
前記第二消火チャンバの右側には小空きチャンバが設置され、前記小空きチャンバの底壁の中にはスライド板がスライドできるように設置され、前記スライド板の左側と前記揺れ動き板とがヒンジで連結され、前記小空きチャンバの後側には三角形チャンバが設置され、前記三角形チャンバと前記小空きチャンバとの間には底軸が回転できるように設置され、前記底軸の前側末端には第一ギヤが固定的に設置され、前記第一ギヤと前記スライド板の頂面とが噛み合っていることを特徴とする請求項７に記載の移動式の森林火災を消し止められる及び環境を自動的に監視できる装置。
【請求項９】
前記矩形ブロックの左側には第二ギヤが回転できるように設置され、前記第二ギヤと前記矩形ブロックとが噛み合っており、前記第二ギヤの後側には後方に伸びるように設置された突き上げ軸が動力が伝達できるように連結され、前記突き上げ軸の後側の伸びている部分が前記三角形チャンバの中に伸びており、また前記突き上げ軸の後側の伸びている部分の末端には第二伝動輪が固定的に設置され、前記縦軸の左側には第三ギヤが回転できるように設置され、前記第三ギヤの後側には前記第二伝動輪と同じな第三伝動輪が回転できるように設置され、前記第三伝動輪が前記三角形チャンバの中に位置しており、前記第三伝動輪と、前記第二伝動輪と、第一伝動輪との間が伝動ベルトによって連結され、前記底軸の前側末端と前記小空きチャンバの前側内壁に固定的に嵌められた第三モーターとが動力が伝達できるように連結されていることを特徴とする請求項８に記載の移動式の森林火災を消し止められる及び環境を自動的に監視できる装置。
【発明の詳細な説明】
【技術分野】
【０００１】
本発明は消火技術分野に関わり、具体的には移動式の森林火災を消し止められる及び環境を自動的に監視できる装置である。
【背景技術】
【０００２】
森林又は草地は木本植物を主体となる生物群集であり、かなり燃えやすく、それで森林への防火は非常に重要であり、森林火災が起こった時、最短時間で火元を消し止める必要があり、火元が燃え広がってより大きな損害を及ぼすことを防止する。
伝統的な森林火災用消防車は、単一的な散水機構を持ち、消火効果は良くなく、タイムリー路面の火元を消し止めることができなく、それによって路面の火元が燃え広がり、より大きな損害を及ぼし、従って消火効果の良い森林火災を消し止められる装置をデザインする必要がある。
【先行技術文献】
【特許文献】
【０００３】
【特許文献１】中国特許出願公開第１０６０３９６１８号明細書
【発明の概要】
【発明が解決しようとする課題】
【０００４】
本発明は移動式の森林火災を消し止められる及び環境を自動的に監視できる装置を提供し、既存技術にある上記の欠点を解消することを目的とする。
【課題を解決するための手段】
【０００５】
本発明実施例の移動式の森林火災を消し止められる及び環境を自動的に監視できる装置は、車主体を含み、前記車主体の右側面には第一消火チャンバが設置され、前記第一消火チャンバの中には第一消火機構が設置され、前記第一消火機構は複数の消火設備制御盤を含み、前記消火設備制御盤は前記車主体の右側の路面の火元を消すことができ、前記車主体の左側面には第二消火チャンバが設置され、前記第二消火チャンバの中には第二消火機構が設置され、前記第二消火機構は前記車主体の底部の路面の火元を更に消すことができ、前記車主体の中には水汲み上げチャンバが設置され、前記水汲み上げチャンバの中には水源を貯蔵し、また前記第二消火機構に水源を提供し、前記第一消火チャンバの左側の前記車主体の中には中部チャンバが設置され、前記中部チャンバの中には昇降できる散水機構が設置され、前記水汲み上げチャンバは前記散水機構に水源を提供でき、前記散水機構は遠くに水を噴出させ、遠くの火元を消し、前記散水機構と、前記第一消火機構と、前記第二消火機構とがいずれも同一の動力源に駆動され、前記散水機構と、前記第一消火機構と、前記第二消火機構とを開けて作動させることができ、前記散水機構の左側には昇降できる監視機構が設置され、前記監視機構はモニタを含み、前記モニタは森林の環境を監視でき、前記車主体の底面には底溝が形成されており、前記底溝の中には固定機構が設置され、前記固定機構は前記車主体を目的地に固定でき、前記車主体が運動することを防止し、前記固定機構と前記監視機構とは同一の動力源によって駆動される。
【０００６】
さらなる技術プランには、前記第一消火機構は前記第一消火チャンバの中にスライドできるように設置された大スライド板を含み、前記大スライド板の中には伝動チャンバが設置され、前記伝動チャンバの中には上下に延びるように設置された縦軸が回転できるように設置され、前記縦軸が五つ設置され、五つの前記縦軸の間がチェーンによって動力が伝達できるように連結され、前記縦軸の底端と前記消火設備制御盤とが固定され、前記伝動チャンバの中に位置している前記縦軸の外周には第一プーリが固定的に設置され、前記大スライド板の中にはスプラインスリーブが回転できるように設置され、前記スプラインスリーブの外周には第二プーリが固定的に設置され、前記第二プーリと前記第一プーリとの間が第一ベルトによって連結され、前記第一消火チャンバの底壁の中には第一モーターが固定的に嵌められ、前記第一モーターの頂部には上方に伸びているスプライン軸が動力が伝達できるように連結され、前記スプライン軸が前記スプラインスリーブを貫通しており、また前記スプラインスリーブと前記スプライン軸とがスプラインによって嵌合される。
【０００７】
さらなる技術プランには、前記中部チャンバの右壁には長空きチャンバが設置され、前記長空きチャンバが前記第一消火チャンバの上側に位置しており、前記スプライン軸の頂部の伸びている部分が前記長空きチャンバの中に伸びており、且つ前記スプライン軸の頂部の伸びている部分の末端には第三プーリが固定的に設置され、前記中部チャンバの中には小回転軸が回転できるように設置され、前記小回転軸の外周には第四プーリが固定的に設置され、前記第四プーリと前記第三プーリとの間が第二ベルトによって連結され、前記小回転軸の外周にはまた扇状ギヤが固定的に設置されている。
【０００８】
さらなる技術プランには、前記散水機構は前記中部チャンバの頂壁の中にスライドできるように設置された矩形ブロックを含み、前記矩形ブロックの中には上下に伸びた従動軸が回転できるように回転できるように設置され、前記従動軸の底端が前記中部チャンバの中に伸びており、また前記従動軸の底端の末端には従動ギヤが固定的に設置され、前記従動ギヤが前記扇状ギヤと噛み合うことができ、前記矩形ブロックの底部には小スライド板がスライドできるように設置され、前記従動軸が前記小スライド板を貫通し、且つ前記小スライド板と回転できるように連結され、前記小スライド板と前記従動軸との間にはトーションばねが装着され、前記従動軸の頂端には回転柱が固定的に設置され、前記回転柱の中にはノズルが固定的に設置され、前記ノズルと前記水汲み上げチャンバとが連通している。
【０００９】
さらなる技術プランには、前記監視機構は前記車主体の頂面にスライドできるように設置された長矩形ブロックを含み、前記長矩形ブロックの頂面には保護カバーが固定的に設置され、前記モニタが前記長矩形ブロックの左右両側面に固定的に設置され、前記保護カバーが前記モニタを打ち壊さないように保護し、前記底溝の頂部にはベルトチャンバが設置され、前記ベルトチャンバの中には上下に伸びている第一スクリュー軸が回転できるように設置され、前記第一スクリュー軸の上半部はネジ山のデザインであり、前記第一スクリュー軸と前記長矩形ブロックとがネジ山によって連結され、前記第一スクリュー軸の回転によって、前記長矩形ブロックは上昇又は下降でき、さらに前記モニタが上昇と下降するようになり、下降する時、前記モニタは車が前方へ進む過程に枝にぶつかることはしないように保護する。
【００１０】
さらなる技術プランには、前記固定機構は前記底溝の中にスライドできるように設置された大スライダを含み、前記大スライダの底面には固定爪が固定的に設置され、前記底溝と前記ベルトチャンバとの間には上下に伸びている第二スクリュー軸が回転できるように設置され、前記第二スクリュー軸と前記大スライダとがネジ山によって連結され、前記ベルトチャンバの頂壁の中には第二モーターが固定的に嵌められ、前記第二モーターと前記第二スクリュー軸の頂部とが動力が伝達できるように連結され、前記ベルトチャンバの中に位置している前記第二スクリュー軸の外周には第五プーリが固定的に設置され、前記ベルトチャンバの中に位置している前記第一スクリュー軸の外周には第六プーリが固定的に設置され、前記第六プーリと前記第五プーリとの間が第三ベルトによって連結されている。
【００１１】
さらなる技術プランには、前記第二消火機構は前記第二消火チャンバの前後内壁の間にヒンジで設置された揺れ動き板を含み、前記揺れ動き板の左側部分の中には消火ローラーが回転できるように設置され、前記揺れ動き板の頂部には固定板が固定的に設置され、前記固定板の底面には一列の散水パイプが固定的に設置され、前記散水パイプと前記水汲み上げチャンバとが連通しており、前記散水パイプが前記消火ローラーに散水できる。
【００１２】
さらなる技術プランには、前記第二消火チャンバの右側には小空きチャンバが設置され、前記小空きチャンバの底壁の中にはスライド板がスライドできるように設置され、前記スライド板の左側と前記揺れ動き板とがヒンジで連結され、前記小空きチャンバの後側には三角形チャンバが設置され、前記三角形チャンバと前記小空きチャンバとの間には底軸が回転できるように設置され、前記底軸の前側末端には第一ギヤが固定的に設置され、前記第一ギヤと前記スライド板の頂面とが噛み合っている。
【００１３】
さらなる技術プランには、前記矩形ブロックの左側には第二ギヤが回転できるように設置され、前記第二ギヤと前記矩形ブロックとが噛み合っており、前記第二ギヤの後側には後方に伸びるように設置された突き上げ軸が動力が伝達できるように連結され、前記突き上げ軸の後側の伸びている部分が前記三角形チャンバの中に伸びており、また前記突き上げ軸の後側の伸びている部分の末端には第二伝動輪が固定的に設置され、前記縦軸の左側には第三ギヤが回転できるように設置され、前記第三ギヤの後側には前記第二伝動輪と同じな第三伝動輪が回転できるように設置され、前記第三伝動輪が前記三角形チャンバの中に位置しており、前記第三伝動輪と、前記第二伝動輪と、第一伝動輪との間が伝動ベルトによって連結され、前記底軸の前側末端と前記小空きチャンバの前側内壁に固定的に嵌められた第三モーターとが動力が伝達できるように連結されている。
【発明の効果】
【００１４】
本発明の有益な効果は：本発明の装置は第一消火機構と第二消火機構とによって路面の火を消すことができ、散水機構は上昇でき、また回転柱の揺れ動きによって、ノズルから水をより遠くへ噴出させ、より大きな面積を覆うことができ、消火効果を高め、固定機構は監視機構が監視作業をする時に、本装置を地面に固定でき、装置がスライドすることを防止し、そして本装置の第一消火機構と散水機構とは同一の動力源を共用し、モーターの数を省き、第一消火機構と、第二消火機構と、散水機構とは収納されて又は開けられることができ、それによってデザインはより巧妙になり、モーターの数を減少し、コストを抑える。
【図面の簡単な説明】
【００１５】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の移動式の森林火災を消し止められる及び環境を自動的に監視できる装置の内部全体構造略図
【図２】図２は本発明の中の三角形チャンバのところの断面略図
【図３】図３は本発明の図１の中のＡの部分拡大略図
【図４】図４は本発明の中の第三モーターのところの部分平面図
【図５】図５は本発明の中の大スライド板の右側断面略図
【発明を実施するための形態】
【００１７】
図１〜５を参照し、本発明実施例の移動式の森林火災を消し止められる及び環境を自動的に監視できる装置は、車主体１０を含み、前記車主体１０の右側面には第一消火チャンバ９０が設置され、前記第一消火チャンバ９０の中には第一消火機構１０１が設置され、前記第一消火機構１０１は複数の消火設備制御盤４６を含み、前記消火設備制御盤４６は前記車主体１０の右側の路面の火元を消すことができ、前記車主体１０の左側面には第二消火チャンバ２２が設置され、前記第二消火チャンバ２２の中には第二消火機構１０２が設置され、前記第二消火機構１０２は前記車主体１０の底部の路面の火元を更に消すことができ、前記車主体１０の中には水汲み上げチャンバ１１が設置され、前記水汲み上げチャンバ１１の中には水源を貯蔵し、また前記第二消火機構１０２に水源を提供し、前記第一消火チャンバ９０の左側の前記車主体１０の中には中部チャンバ６２が設置され、前記中部チャンバ６２の中には昇降できる散水機構１０５が設置され、前記水汲み上げチャンバ１１は前記散水機構１０５に水源を提供でき、前記散水機構１０５は遠くに水を噴出させ、遠くの火元を消し、前記散水機構１０５と、前記第一消火機構１０１と、前記第二消火機構１０２とがいずれも同一の動力源に駆動され、前記散水機構１０５と、前記第一消火機構１０１と、前記第二消火機構１０２とを開けて作動させることができ、前記散水機構１０５の左側には昇降できる監視機構１０３が設置され、前記監視機構１０３はモニタ１３を含み、前記モニタ１３は森林の環境を監視でき、前記車主体１０の底面には底溝３２が形成されており、前記底溝３２の中には固定機構１０４が設置され、前記固定機構１０４は前記車主体１０を目的地に固定でき、前記車主体１０が運動することを防止し、前記固定機構１０４と前記監視機構１０３とは同一の動力源によって駆動される。
【００１８】
有益な又は例示のように、前記第一消火機構１０１は前記第一消火チャンバ９０の中にスライドできるように設置された大スライド板７１を含み、前記大スライド板７１の中には伝動チャンバ４３が設置され、前記伝動チャンバ４３の中には上下に延びるように設置された縦軸４７が回転できるように設置され、前記縦軸４７が五つ設置され、五つの前記縦軸４７の間がチェーン４４によって動力が伝達できるように連結され、前記縦軸４７の底端と前記消火設備制御盤４６とが固定され、前記伝動チャンバ４３の中に位置している前記縦軸４７の外周には第一プーリ４２が固定的に設置され、前記大スライド板７１の中にはスプラインスリーブ６８が回転できるように設置され、前記スプラインスリーブ６８の外周には第二プーリ６９が固定的に設置され、前記第二プーリ６９と前記第一プーリ４２との間が第一ベルト４１によって連結され、前記第一消火チャンバ９０の底壁の中には第一モーター４０が固定的に嵌められ、前記第一モーター４０の頂部には上方に伸びているスプライン軸６７が動力が伝達できるように連結され、前記スプライン軸６７が前記スプラインスリーブ６８を貫通しており、また前記スプラインスリーブ６８と前記スプライン軸６７とがスプラインによって嵌合され、前記第一モーター４０の作動によって、前記第二プーリ６９を回転させ、更に前記第一プーリ４２を回転させ、それによって前記消火設備制御盤４６が回転し、地面の火元を消し止める。
【００１９】
有益な又は例示のように、前記中部チャンバ６２の右壁には長空きチャンバ６５が設置され、前記長空きチャンバ６５が前記第一消火チャンバ９０の上側に位置しており、前記スプライン軸６７の頂部の伸びている部分が前記長空きチャンバ６５の中に伸びており、且つ前記スプライン軸６７の頂部の伸びている部分の末端には第三プーリ６６が固定的に設置され、前記中部チャンバ６２の中には小回転軸９１が回転できるように設置され、前記小回転軸９１の外周には第四プーリ６３が固定的に設置され、前記第四プーリ６３と前記第三プーリ６６との間が第二ベルト６４によって連結され、前記小回転軸９１の外周にはまた扇状ギヤ６１が固定的に設置され、前記第三プーリ６６の回転によって、前記扇状ギヤ６１が回転でき、更に前記散水機構１０５を連動させて遠くへ回転させて水を噴出させることができ、散水の面積を増加する。
【００２０】
有益な又は例示のように、前記散水機構１０５は前記中部チャンバ６２の頂壁の中にスライドできるように設置された矩形ブロック３７を含み、前記矩形ブロック３７の中には上下に伸びた従動軸６０が回転できるように回転できるように設置され、前記従動軸６０の底端が前記中部チャンバ６２の中に伸びており、また前記従動軸６０の底端の末端には従動ギヤ５７が固定的に設置され、前記従動ギヤ５７が前記扇状ギヤ６１と噛み合うことができ、前記矩形ブロック３７の底部には小スライド板５９がスライドできるように設置され、前記従動軸６０が前記小スライド板５９を貫通し、且つ前記小スライド板５９と回転できるように連結され、前記小スライド板５９と前記従動軸６０との間にはトーションばね５８が装着され、前記従動軸６０の頂端には回転柱３６が固定的に設置され、前記回転柱３６の中にはノズル３４が固定的に設置され、前記ノズル３４と前記水汲み上げチャンバ１１とが連通しており、前記扇状ギヤ６１と前記従動ギヤ５７との噛み合いによって、更に前記従動軸６０を回転連動させ、前記扇状ギヤ６１が前記従動ギヤ５７から離脱した時、前記従動軸６０が復帰し、更に前記回転柱３６を回転できるようにさせ、前記ノズル３４を揺れ動きながら水が噴出できるようにさせ、散水の面積を増加する。
【００２１】
有益な又は例示のように、前記監視機構１０３は前記車主体１０の頂面にスライドできるように設置された長矩形ブロック１４を含み、前記長矩形ブロック１４の頂面には保護カバー１２が固定的に設置され、前記モニタ１３が前記長矩形ブロック１４の左右両側面に固定的に設置され、前記保護カバー１２が前記モニタ１３を打ち壊さないように保護し、前記底溝３２の頂部にはベルトチャンバ９４が設置され、前記ベルトチャンバ９４の中には上下に伸びている第一スクリュー軸２６が回転できるように設置され、前記第一スクリュー軸２６の上半部はネジ山のデザインであり、前記第一スクリュー軸２６と前記長矩形ブロック１４とがネジ山によって連結され、前記第一スクリュー軸２６の回転によって、前記長矩形ブロック１４は上昇又は下降でき、さらに前記モニタ１３が上昇と下降するようになり、下降する時、前記モニタ１３は車が前方へ進む過程に枝にぶつかることはしないように保護する。
【００２２】
有益な又は例示のように、前記固定機構１０４は前記底溝３２の中にスライドできるように設置された大スライダ２８を含み、前記大スライダ２８の底面には固定爪９６が固定的に設置され、前記底溝３２と前記ベルトチャンバ９４との間には上下に伸びている第二スクリュー軸３１が回転できるように設置され、前記第二スクリュー軸３１と前記大スライダ２８とがネジ山によって連結され、前記ベルトチャンバ９４の頂壁の中には第二モーター２７が固定的に嵌められ、前記第二モーター２７と前記第二スクリュー軸３１の頂部とが動力が伝達できるように連結され、前記ベルトチャンバ９４の中に位置している前記第二スクリュー軸３１の外周には第五プーリ２９が固定的に設置され、前記ベルトチャンバ９４の中に位置している前記第一スクリュー軸２６の外周には第六プーリ２５が固定的に設置され、前記第六プーリ２５と前記第五プーリ２９との間が第三ベルト３０によって連結され、前記第二モーター２７の作動によって、前記固定機構１０４が開けて収納されることができる。
【００２３】
有益な又は例示のように、前記第二消火機構１０２は前記第二消火チャンバ２２の前後内壁の間にヒンジで設置された揺れ動き板２０を含み、前記揺れ動き板２０の左側部分の中には消火ローラー１９が回転できるように設置され、前記揺れ動き板２０の頂部には固定板１８が固定的に設置され、前記固定板１８の底面には一列の散水パイプ１７が固定的に設置され、前記散水パイプ１７と前記水汲み上げチャンバ１１とが連通しており、前記散水パイプ１７が前記消火ローラー１９に散水でき、それによって前記消火ローラー１９によりよく消火できる。
【００２４】
有益な又は例示のように、前記第二消火チャンバ２２の右側には小空きチャンバ２４が設置され、前記小空きチャンバ２４の底壁の中にはスライド板２１がスライドできるように設置され、前記スライド板２１の左側と前記揺れ動き板２０とがヒンジで連結され、前記小空きチャンバ２４の後側には三角形チャンバ５５が設置され、前記三角形チャンバ５５と前記小空きチャンバ２４との間には底軸５０が回転できるように設置され、前記底軸５０の前側末端には第一ギヤ２３が固定的に設置され、前記第一ギヤ２３と前記スライド板２１の頂面とが噛み合っており、前記第一ギヤ２３の回転によって、前記スライド板２１が左方又は右方へスライドでき、更に前記揺れ動き板２０を昇降できるようにさせ、それによって前記第二消火機構１０２を開けて又は閉める。
【００２５】
有益な又は例示のように、前記矩形ブロック３７の左側には第二ギヤ３８が回転できるように設置され、前記第二ギヤ３８と前記矩形ブロック３７とが噛み合っており、前記第二ギヤ３８の後側には後方に伸びるように設置された突き上げ軸３９が動力が伝達できるように連結され、前記突き上げ軸３９の後側の伸びている部分が前記三角形チャンバ５５の中に伸びており、また前記突き上げ軸３９の後側の伸びている部分の末端には第二伝動輪５１が固定的に設置され、前記縦軸４７の左側には第三ギヤ５６が回転できるように設置され、前記第三ギヤ５６の後側には前記第二伝動輪５１と同じな第三伝動輪５３が回転できるように設置され、前記第三伝動輪５３が前記三角形チャンバ５５の中に位置しており、前記第三伝動輪５３と、前記第二伝動輪５１と、第一伝動輪５２との間が伝動ベルト５４によって連結され、前記底軸５０の前側末端と前記小空きチャンバ２４の前側内壁に固定的に嵌められた第三モーター４９とが動力が伝達できるように連結され、前記第三モーター４９が作動することによって、前記底軸５０が回転し、更に前記第一伝動輪５２と、前記第二伝動輪５１と、前記第三伝動輪５３とを回転させ、更に前記第一消火機構１０１と、前記散水機構１０５と、前記第二消火機構１０２とを開け又は収める。
【００２６】
使用の時、環境を監視すれば良い時、初めに第二モーター２７を制御して作動させ、第二スクリュー軸３１を回転させ、更に大スライダ２８を下方へ移動させ、固定爪９６を地下に差し込め、車主体１０を固定し、第五プーリ２９が第一スクリュー軸２６を回転連動させ、第一スクリュー軸２６を回転させ、更に長矩形ブロック１４を上昇させ、モニタ１３を作動させ、更に環境を監視し、火災があったら、まず、第二モーター２７を制御して逆方向に回転させ、大スライダ２８と長矩形ブロック１４とが収納され、また本装置を火元のところに移動させ、第三モーター４９を制御して作動させることによって、底軸５０が回転し、更に第一伝動輪５２と、第二伝動輪５１と、第三伝動輪５３とを回転させ、それによって第三ギヤ５６が大スライド板７１を下方へ移動連動させ、更に消火設備制御盤４６を下方へ移動させて地面に密着させ、第二ギヤ３８が回転し、回転柱３６を上方へ移動させ、また第一ギヤ２３を回転させ、揺れ動き板２０を下方へ揺れ動かせ、更に消火ローラー１９を地面に密着させ、水汲み上げチャンバ１１を制御して作動させ、散水パイプ１７とノズル３４とを散水させ、また第一モーター４０を制御して作動させ、スプライン軸６７を回転させ、更にスプラインスリーブ６８を回転させ、第一プーリ４２を回転させ、更に縦軸４７に消火設備制御盤４６を回転連動させ、それによって消火設備制御盤４６が車主体１０の右側の路面に火を消し止める作業を行い、第三プーリ６６が第四プーリ６３を回転連動させ、更に扇状ギヤ６１に間欠的に従動ギヤ５７を回転連動させ、従動軸６０をトーションばねの作用の下で揺れ動けるようにさせ、更に回転柱３６を連動させて揺れ動かせ、ノズル３４を揺れ動きながら水が噴出できるようにさせ、散水の面積を増加し、車主体１０が右方へ進む時、消火ローラー１９が地面で転がって火を消し、火を消した後、第三モーター４９を制御して逆方向に回転させ、装置を復帰させる。
【００２７】
本発明の有益な効果は：本発明の装置は第一消火機構と第二消火機構とによって路面の火を消すことができ、散水機構は上昇でき、また回転柱の揺れ動きによって、ノズルから水をより遠くへ噴出させ、より大きな面積を覆うことができ、消火効果を高め、固定機構は監視機構が監視作業をする時に、本装置を地面に固定でき、装置がスライドすることを防止し、そして本装置の第一消火機構と散水機構とは同一の動力源を共用し、モーターの数を省き、第一消火機構と、第二消火機構と、散水機構とは収納されて又は開けられることができ、それによってデザインはより巧妙になり、モーターの数を減少し、コストを抑える。
【００２８】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【要約】
【課題】本発明は移動式の森林火災を消し止められる及び環境を自動的に監視できる装置を開示した。
【解決手段】
車主体を含み、前記車主体の右側面には第一消火チャンバが設置され、前記第一消火チャンバの中には第一消火機構が設置され、前記第一消火機構は複数の消火設備制御盤を含み、前記消火設備制御盤は前記車主体の右側の路面の火元を消すことができ、前記車主体の左側面には第二消火チャンバが設置され、本装置を地面に固定でき、装置がスライドすることを防止し、そして本装置の第一消火機構と散水機構とは同一の動力源を共用し、モーターの数を省き、第一消火機構と、第二消火機構と、散水機構とは収納されて又は開けられることができ、それによってデザインはより巧妙になり、モーターの数を減少し、コストを抑える。
【選択図】図１【図１】
0006750145.tif 000002
【図２】
0006750145.tif 000003
【図３】
0006750145.tif 000004
【図４】
0006750145.tif 000005
【図５】
0006750145.tif 000006